(57)【要約】      （修正有）【課題】小型のＬＥＤランプを使用しながら、効率良く発光させると共に、照射方向の角度を変えることで、これまでない電飾用ＬＥＤランプを提供する。【解決手段】ＬＥＤランプ１の上面に透明な防水カバー５を被覆固定する。防水カバー５の上面にプリズム５Ａを立設し、プリズム５ＡでＬＥＤランプ１の照射方向を変更するように設ける。プリズム５Ａは、透明なアクリル樹脂にて設けられる。ＬＥＤソケットは、ソケット体２の上端部に矩形チップ状のＬＥＤランプ１を収納する収納凹部３が形成され、ソケット体２の内部に一対の接触端子４を配している。収納凹部３内にＬＥＤランプ１を嵌合したときにＬＥＤランプ１の端子１Ａが接触端子４とチップ抵抗６とに接触するように設ける。【選択図】図１
0003134422.tif 000002
【実用新案登録請求の範囲】
【請求項１】
ＬＥＤランプをプラスチック製のソケット体に収納してＬＥＤソケットを形成する電飾用ＬＥＤランプにおいて、ＬＥＤランプの上面に透明な防水カバーを被覆固定すると共に、該防水カバーの上面にプリズムを立設し、該プリズムでＬＥＤランプの照射方向を変更するように設けたことを特徴とする電飾用ＬＥＤランプ。
【請求項２】
前記ＬＥＤソケットは、ソケット体の上端部に矩形チップ状のＬＥＤランプを収納する収納凹部を形成し、ソケット体の内部に一対の接触端子を配し、接触端子の一方が収納凹部に収納したＬＥＤランプの端子に接触すると共に、他方がソケット体内に配されたチップ抵抗に接触するように設け、収納凹部内にＬＥＤランプを嵌合したときにＬＥＤランプの端子が接触端子とチップ抵抗とに接触するように設けられた請求項１記載の電飾用ＬＥＤランプ。
【請求項３】
前記プリズムは、透明なアクリル樹脂にて設けられた請求項１又は２記載の電飾用ＬＥＤランプ。
【請求項４】
前記ＬＥＤソケットの下端部外周を上端部外周よりも膨出させ、該下端部の外周を塩化ビニル製の接着固定体で覆い、該接着固定体を塩化ビニル製の電源用コードテープに接着した請求項１乃至３いずれか記載の電飾用ＬＥＤランプ。
【請求項５】
前記ＬＥＤソケットの下端部にABS樹脂製の嵌合固定体を装着固定し、該嵌合固定体の下面に略円錐形状の係止突起を突設し、ＬＥＤソケットの被装着位置に開穿された固定用孔に、該係止突起を嵌合係止するように設けられた１乃至３いずれか記載の電飾用ＬＥＤランプ。
【考案の詳細な説明】
【技術分野】
【０００１】
本考案は、電飾装置の発光体として使用する電飾用ＬＥＤランプに係り、ＬＥＤランプの照射角度を変えることが可能な電飾用ＬＥＤランプに関する。
【背景技術】
【０００２】
ＬＥＤランプを光源とするＬＥＤ発光体ユニットが特許文献１に記載されている。この特許文献１は、ＬＥＤランプを収納部に収納したＬＥＤ発光部と、ＬＥＤ発光部の前方に位置するカバー発光部に中空部を設けたアクリルカバーとからなり、ＬＥＤ発光部よりもカバー発光部の面積を大きくし、ＬＥＤランプから発した光がカバー発光部の中空部で乱反射し拡散することにより、光源より大きい点灯面積とするものである。
【０００３】
一方、特許文献２に、ＬＥＤランプの前方以外の方向から出た光を有効に利用することができるＬＥＤランプ反射器が記載されている。このＬＥＤランプ反射器によると、ＬＥＤランプの側面光を前方に反射させるためのレンズであって、反射面が方物面又はその近似曲面にされた反射器本体を有するものである。そして、この反射器本体の反射面中心部にはＬＥＤランプを収納する凹部が形成され、この凹部内のＬＥＤランプの前方位置に、ＬＥＤランプから前方に向けて出た光の進行方向を補正するためのレンズを設けたものである。
【特許文献１】特開平８‐２７９３０６号公報
【特許文献２】特開２００３‐２８１９０９号公報
【考案の開示】
【考案が解決しようとする課題】
【０００４】
特許文献１に記載されているように、ＬＥＤ発光部よりもカバー発光部の面積を大きくし、ＬＥＤランプから発した光がカバー発光部の中空部で乱反射し拡散する構成や、引用文献２の如く、反射器本体の反射面中心部にはＬＥＤランプを収納する凹部を形成し、この凹部内のＬＥＤランプの前方位置に、ＬＥＤランプから前方に向けて出た光の進行方向を補正するためのレンズを設けたものでは、光源の照射方向を変更することはできなかった。
【０００５】
すなわち、これまでのＬＥＤランプでは、ＬＥＤランプの照射方向の光量を有効利用する技術を提案しているが、ＬＥＤランプの照射方向自体を変更する技術は提案されていない。そこで本考案は、小型のＬＥＤランプを使用しながら、効率良く発光させると共に、照射方向の角度を変えることで、これまでない電飾用ＬＥＤランプの提供を目的とするものである。
【課題を解決するための手段】
【０００６】
上述の課題を解決するため、本考案の第１の手段は、ＬＥＤランプ１をプラスチック製のソケット体２に収納してＬＥＤソケット１０を形成する電飾用ＬＥＤランプにおいて、ＬＥＤランプ１の上面に透明な防水カバー５を被覆固定すると共に、該防水カバー５の上面にプリズム５Ａを立設し、該プリズム５ＡでＬＥＤランプ１の照射方向を変更するように設けたことにある。
【０００７】
第２の手段は、前記ＬＥＤソケット１０は、ソケット体２の上端部に矩形チップ状のＬＥＤランプ１を収納する収納凹部３を形成し、ソケット体２の内部に一対の接触端子４を配し、接触端子４の一方が収納凹部３に収納したＬＥＤランプ１の端子１Ａに接触すると共に、他方がソケット体２内に配されたチップ抵抗６に接触するように設け、収納凹部３内にＬＥＤランプ１を嵌合したときにＬＥＤランプ１の端子１Ａが接触端子４とチップ抵抗６とに接触するように設けている。
【０００８】
第３の手段において、前記プリズム５Ａは、透明なアクリル樹脂にて設けられたものである。
【０００９】
第４の手段は、前記ＬＥＤソケット１０の下端部１１外周を上端部１２外周よりも膨出させ、該下端部１１の外周を塩化ビニル製の接着固定体１３で覆い、該接着固定体１３を塩化ビニル製のコードテープ３０に接着したものである。
【００１０】
第５の手段は、前記ＬＥＤソケット１０の下端部１１にABS樹脂製の嵌合固定体１４を装着固定し、該嵌合固定体１４の下面に略円錐形状の係止突起１５を突設し、ＬＥＤソケット１０の被装着位置に開穿された固定用孔４０に、該係止突起１５を嵌合係止するように設けたことを課題解消のための手段とする。
【考案の効果】
【００１１】
本考案の請求項１により、ＬＥＤランプ１の照射方向にプリズム５Ａを設けているので、このプリズム５Ａにより、ＬＥＤランプ１の照射角度を変えることができる。この結果、これまでにない照射効果を有する電飾を行うことができるものである。
【００１２】
請求項２により、ソケット体２の上端部にプリント板用の矩形チップ状のＬＥＤランプ１を配してＬＥＤソケット１０を形成し、該ＬＥＤソケット１０を電源用のコードに個別に装着したことから、本考案電飾用ＬＥＤランプの構成がコンパクトになり、高さも低くすることができる。この結果、小型のＬＥＤランプ１を使用しても効率良く光を照射し、且つ、この照射方向を変更することが可能になった。しかも、防水カバー５にプリズム５Ａを設けても、取り付け位置が低く、狭い場所への設置も可能になり、直付け照明や間接照明、サイド照明などを取り付ける場合などのように、任意の場所に適宜な電飾を施すことができる。
【００１３】
請求項３により、前記プリズム５Ａを、透明なアクリル樹脂にて設けることで、安価な提供が可能になり、しかも、十分な光の屈折効果が得られるものである。
【００１４】
請求項４によると、ＬＥＤソケット１０の下端部１１外周を上端部１２外周よりも膨出させ、該下端部１１の外周を塩化ビニル製の接着固定体１３で覆い、該接着固定体１３を塩化ビニル製のコードテープ３０に接着することにより、塩化ビニル製のコードテープ３０と相性の悪いポリカーボネート材をソケット体２に用いても、ソケット体２とコードテープ３０とを確実に固定することができる。
【００１５】
請求項５により、ＬＥＤソケット１０の被装着位置に開穿された固定用孔４０に、該係止突起１５を嵌合係止するように設けたことで、被装着位置に開穿された固定用孔４０に、この係止突起１５を差し込むだけでＬＥＤソケット１０を固定できるので、本発明電飾用ＬＥＤランプを極めて容易に装着することができる。
【００１６】
このように、本考案によると、小型のＬＥＤランプを使用しながら、効率良く発光させると共に、照射方向の角度を変えることで、これまでない電飾用ＬＥＤランプを提供することができるなどといった実用上有益な種々の効果を奏するものである。
【考案を実施するための最良の形態】
【００１７】
本考案ＬＥＤランプの最良の形態は、ＬＥＤランプ１の上面に透明な防水カバー５を被覆固定する。該防水カバー５の上面にプリズム５Ａを立設し、該プリズム５ＡでＬＥＤランプ１の照射方向を変更するように設ける。プリズム５Ａは、透明なアクリル樹脂にて設けられる。ＬＥＤソケット１０は、ソケット体２の上端部に矩形チップ状のＬＥＤランプ１を収納する収納凹部３が形成され、ソケット体２の内部に一対の接触端子４を配している。接触端子４の一方が収納凹部３に収納したＬＥＤランプ１の端子１Ａに接触すると共に、他方がソケット体２内に配されたチップ抵抗６に接触するように設ける。収納凹部３内にＬＥＤランプ１を嵌合したときにＬＥＤランプ１の端子１Ａが接触端子４とチップ抵抗６とに接触するように設ける。ＬＥＤソケット１０の下端部１１外周を上端部１２外周よりも膨出させ、該下端部１１の外周を塩化ビニル製の接着固定体１３で覆う。該接着固定体１３を塩化ビニル製の電源用コードテープ３０に接着し、ＬＥＤソケット１０をコードテープ３０に個別に装着することにより、当初の目的を達成する。
【実施例】
【００１８】
次に、図面に基づいて本考案の実施例を詳細に説明する。本考案は、電飾用ＬＥＤランプの改良に関するもので、例えば、直付け照明、サイド照明、間接照明、エッジライト、床埋め込みライン照明、ステップライト、棚下のライトアップ、ショーケース灯、ディスプレイ照明、チャンネル文字、舞台照明、テーマパーク内の照明など、装飾用照明装置全般に使用される電飾用ＬＥＤランプである。
【００１９】
本考案電飾用ＬＥＤランプの基本構成は、ＬＥＤランプ１と、ＬＥＤソケット１０と、防水カバー５と、電源用のコードとからなる（図１参照）。
【００２０】
ＬＥＤランプ１は、主にプリント板用として用いられる矩形チップ状のＬＥＤランプ１を使用する。ＬＥＤソケット１０は、このＬＥＤランプ１をプラスチック製のソケット体２に収納したものであり、ＬＥＤソケット１０ごと電源用のコードに接続し、各種の被装着場所へ配設するものである。
【００２１】
ソケット体２は、ポリカーボネート材が用いられており、その上端部にＬＥＤランプ１を収納する収納凹部３を形成し、その内部に一対の接触端子４を配している（図１参照）。そして、接触端子４の一方が収納凹部３に収納したＬＥＤランプ１の端子１Ａに接触するように設けている。また、接触端子４の他方は、ソケット体２内に配されたチップ抵抗６に接触するように設けている。このとき、図５、図６に示すように、ＬＥＤランプ１をソケット体２から突出するように設けることも可能である。
【００２２】
収納凹部３内にＬＥＤランプ１を嵌合すると、ＬＥＤランプ１の端子１Ａが接触端子４とチップ抵抗６とに接触する。この状態がＬＥＤソケット１０となる。そして、該ＬＥＤソケット１０を電源用のコードテープ３０に個別に装着するものである（図２参照）。
【００２３】
ＬＥＤランプ１の上面に透明な防水カバー５を被覆固定すると共に、該防水カバー５の上面にプリズム５Ａを立設し、該プリズム５ＡでＬＥＤランプ１の照射方向を変更するように設けている（図１参照）。すなわち、前記ＬＥＤソケット１０の上端部に防水カバー５を被覆固定して収納凹部３を施蓋する。この防水カバー５は、透明なアクリル樹脂製で設けられている。更に、該防水カバー５の上面にプリズム５Ａを立設する。このプリズム５Ａは、防水カバー５と一体に設けられるもので、ＬＥＤランプ１の照射方向を変更するように設けている。図１に示す防水カバー５は、ＬＥＤソケット１０の上端部１２外周を覆うように設けている。また、図５、図６に示すように、ソケット体２から突出したＬＥＤランプ１を被覆するように防水カバー５を設けることも可能である。また、プリズム５Ａは、図１、図６に示す如く、防水カバー５の上面の一部に突設するほか、図５に示す如く、防水カバー５の上面全体を利用してプリズム５Ａを設けることも可能である。
【００２４】
電源用のコードは、塩化ビニル製のコードテープ３０や平行線の電源コード５０などが使用される。図１及び図２に示すＬＥＤソケット１０は、塩化ビニル製の電源用コードテープ３０に接着可能にしたものである。すなわち、ＬＥＤソケット１０の下端部１１外周を上端部１２外周よりも膨出させ、該下端部１１の外周を塩化ビニル製の接着固定体１３で被覆している。そして、この塩化ビニル製の接着固定体１３を塩化ビニル製のコードテープ３０に接着するものである。この結果、ポリカーボネート製のソケット体２を使用していても、簡単に塩化ビニル製のコードテープ３０に装着固定することが可能になるものである。
【００２５】
一方、図３及び図４に示すＬＥＤソケット１０は、ＬＥＤソケット１０の下端部１１、すなわちソケット体２の下端部にABS樹脂製の嵌合固定体１４を装着固定すると共に、該嵌合固定体１４の下面に略円錐形状のABS樹脂製係止突起１５を突設している。この係止突起１５は、ＬＥＤソケット１０の被装着位置に開穿された固定用孔４０に嵌合係止するものである。この係止突起１５は、係止突起１５の下端部から上方に向けて広がる左右一対の係止片１５Ａを設けたもので、基盤２０の表面から固定用孔４０に係止突起１５を差し込むと、この係止片１５Ａが基盤２０の裏面に係止するものである（図３参照）。また、このＬＥＤソケット１０では、嵌合固定体１４に平行線の電源コード５０を固定している。
【００２６】
尚、本考案は前記実施例に限定されず、本考案の要旨を逸脱しない範囲内における  設計変更等は自由に行えるものである。
【図面の簡単な説明】
【００２７】
【図１】本考案のＬＥＤソケットの一実施例を示す縦断面図である。
【図２】本考案のＬＥＤソケットの装着例を示す側面図である。
【図３】本考案のＬＥＤソケットの他の実施例を示す縦断面図である。
【図４】図３に示すＬＥＤソケットの装着例を示す側面図である。
【図５】本考案の防水カバーの他の実施例を示す側面図である。
【図６】本考案の防水カバーの他の実施例を示す側面図である。
【符号の説明】
【００２８】
１  ＬＥＤランプ
１Ａ  端子
２  ソケット体
３  収納凹部
４  接触端子
５  防水カバー
５Ａ  プリズム
６  チップ抵抗
１０  ＬＥＤソケット
１１  下端部
１２  上端部
１３  接着固定体
１４  嵌合固定体
１５  係止突起
２０  基盤
２１  固定孔
３０  コードテープ
４０  固定用孔
５０  電源コード
【図１】
0003134422.tif 000003
【図２】
0003134422.tif 000004
【図３】
0003134422.tif 000005
【図４】
0003134422.tif 000006
【図５】
0003134422.tif 000007
【図６】
0003134422.tif 000008